(57)【特許請求の範囲】
【請求項１】
内部に第１流路が形成された内筒と、前記内筒を囲む外筒との複層構成とされ、一方の端部には、前記外筒が除去された前記内筒が連結用の連結筒部とされた第１筒体と、
内部に第２流路を備え、端部には挿入された前記連結筒部と連結され、前記第１流路と前記第２流路を連通させる連結手段が設けられた第２筒体と、
前記第２筒体と対向する前記外筒を切欠いて形成され、前記内筒に沿って移動させて前記連結手段の連結を解除させる治具が前記内筒の径方向の外側から差込まれる切欠き部と、
前記外筒から前記切欠き部へ切除可能に突出され、前記治具の差し込みを妨げる制限手段と、
を有する継手構造。
【請求項２】
前記制限手段は、前記切欠き部の端面から前記第１筒体の軸線方向へ突出されている請求項１に記載の継手構造。
【請求項３】
前記制限手段は、前記切欠き部の端面から前記第１筒体の周方向へ突出されている請求項１に記載の継手構造。
【請求項４】
内部に第１流路が形成された内筒と、前記内筒を囲む外筒との複層構成とされ、一方の端部には、前記外筒が除去された前記内筒が連結用の連結筒部とされた第１筒体と、
内部に第２流路を備え、端部には挿入された前記連結筒部と連結され、前記第１流路と前記第２流路を連通させる連結手段が設けられた第２筒体と、
前記第２筒体と対向する前記外筒を前記内筒の接線に沿って両側から前記内筒の外周面に至るまで切除して形成され、前記内筒に沿って移動させて前記連結手段の連結を解除させる治具が差込まれる切欠き部と、
前記外筒の前記切欠き部の端面からそれぞれ前記第１筒体の軸線方向へ切除可能に突出され、前記治具の差し込みを妨げる制限手段と、
を有する継手構造。
【請求項５】
内部に流路が形成された内筒と、前記内筒を囲む外筒との複層構成とされ、一方の端部には外部から挿入された第１連結筒部を連結する第１連結手段が設けられ、他方の端部には、前記外筒が除去された前記内筒が連結用の第２連結筒部とされ、前記内筒の周壁からは前記流路と連通する分岐流路を備えた分岐筒体が径方向に突出された筒体と、
他方の端部側の前記外筒を切欠いて形成され、前記第２連結筒部が外部の第２連結手段と連結されたとき、前記内筒に沿って移動させて前記第２連結手段の連結を解除させる治具が前記内筒の径方向の外側から差し込まれる切欠き部と、
前記外筒から前記切欠き部へ切除可能に突出され、前記治具の差し込みを妨げる制限手段と、
を有するヘッダー基体。
【請求項６】
前記制限手段は、前記切欠き部の端面から前記筒体の軸線方向へ突出されている請求項５に記載のヘッダー基体。
【請求項７】
前記制限手段は、前記切欠き部の端面から前記筒体の周方向へ突出されている請求項５に記載のヘッダー基体。
【請求項８】
内部に流路が形成された内筒と、前記内筒を囲む外筒との複層構成とされ、一方の端部には外部から挿入された第１連結筒部を連結する第１連結手段が設けられ、他方の端部には、前記外筒が除去された前記内筒が連結用の第２連結筒部とされ、前記内筒の周壁からは前記流路と連通する分岐流路を備えた分岐筒体が径方向に突出された筒体と、
他方の端部側の前記外筒を前記内筒の接線に沿って両側から前記内筒の外周面に至るまで切除して形成され、前記第２連結筒部が外部の第２連結手段と連結されたとき、前記内筒に沿って移動させて前記第２連結手段の連結を解除させる治具が差し込まれる切欠き部と、
前記外筒の前記切欠き部の端面からそれぞれ前記筒体の軸線方向へ切除可能に突出され、前記治具の差し込みを妨げる制限手段と、
を有するヘッダー基体。
【請求項９】
内部に第１流路が形成された内筒と、前記内筒を囲む外筒との複層構成とされ、一方の端部には外部から挿入された第１連結筒部を連結する第１連結手段が設けられ、他方の端部には、前記外筒が除去された第２連結筒部とされ、前記内筒の周壁からは、前記第１流路と連通する分岐流路を備えた分岐筒体が径方向に突出された第１ヘッダー基体と、
内部に第２流路が形成された内筒と、前記内筒を囲む外筒との複層構成とされ、一方の端部には前記第２連結筒部と連結された第２連結手段が設けられ、他方の端部には外筒が除去された第３連結筒部が形成され、前記内筒の周壁には前記第２流路と連通する分岐流路を備えた分岐筒体が径方向に突出された第２ヘッダー基体と、
前記第１ヘッダー基体の前記外筒を切欠いて形成され、前記内筒に沿って移動させて前記第２連結手段の連結を解除させる治具が前記内筒の径方向の外側から差し込まれる切欠き部と、
前記外筒から前記切欠き部へ切除可能に突出され、前記治具の差し込みを妨げる制限手段と、
を有するヘッダー。
【請求項１０】
前記制限手段は、前記切欠き部の端面から前記第１ヘッダー基体の軸線方向へ突出されている請求項９に記載のヘッダー。
【請求項１１】
前記制限手段は、前記切欠き部の端面から前記第１ヘッダー基体の周方向へ突出されている請求項９に記載のヘッダー。
【請求項１２】
内部に第１流路が形成された内筒と、前記内筒を囲む外筒との複層構成とされ、一方の端部には外部から挿入された第１連結筒部を連結する第１連結手段が設けられ、他方の端部には、前記外筒が除去された第２連結筒部とされ、前記内筒の周壁からは、前記第１流路と連通する分岐流路を備えた分岐筒体が径方向に突出された第１ヘッダー基体と、
内部に第２流路が形成された内筒と、前記内筒を囲む外筒との複層構成とされ、一方の端部には前記第２連結筒部と連結された第２連結手段が設けられ、他方の端部には外筒が除去された第３連結筒部が形成され、前記内筒の周壁には前記第２流路と連通する分岐流路を備えた分岐筒体が径方向に突出された第２ヘッダー基体と、
前記第１ヘッダー基体の前記外筒を前記内筒の接線に沿って両側から前記内筒の外周面に至るまで切除して形成され、前記内筒に沿って移動させて前記第２連結手段の連結を解除させる治具が差し込まれる切欠き部と、
前記外筒の前記切欠き部の端面からそれぞれ前記第１ヘッダー基体の軸線方向へ切除可能に突出され、前記治具の差し込みを妨げる制限手段と、
を有するヘッダー。
【発明の詳細な説明】
【技術分野】
【０００１】
パイプ継手の分野においては、一旦、パイプ継手に連結されたパイプを、現場で取り外すことを可能とする構成が既に提案されている（特許文献１）。
ここに、特許文献１は、パイプの表面に沿わせて、パイプと、パイプ継手の連結部のキャップとの間に治具を挿入させ、治具で、連結部に設けられたパイプ保持部の保持を解除させることでパイプの取り外しを可能にしている。しかし、パイプ保持部を備えたヘッダー基体を複数連結したヘッダーにおいて、ヘッダーからヘッダー基体を取り外す場合、それぞれのヘッダー基体の外周面が隙間なく樹脂カバー（外筒）で覆われているため、パイプとキャップとの間に、治具を挿入するスペースを確保することができない。
【０００２】
更に、工場でヘッダー基体を複数連結して出荷されたヘッダーを、現場で一旦分解し、再度組立てた場合には、次の問題が予測される。即ち、工場では、ヘッダーを組み立てた状態で、気密試験等によりシール性能を確認した後に出荷している。これにより、ヘッダーとしての品質を保証している。しかし、現場で一旦分解されて再度組立てられたヘッダーに水漏れが発生した場合、現場の組立てに不備があったのか、工場での組立て段階で不備があったのかの判別がつきにくい。
【先行技術文献】
【特許文献】
【０００３】
【特許文献１】特開２０１０−１９０３１９号公報
【発明の概要】
【発明が解決しようとする課題】
【０００４】
本発明は、上記事実に鑑み、ヘッダーを構成するヘッダー基体を取り外した場合に、後で、取り外したことを確認できる継手構造、ヘッダー基体及びヘッダーを提供することを目的とする。
【課題を解決するための手段】
【０００５】
請求項１に記載の発明に係る継手構造は、内部に第１流路が形成された内筒と、前記内筒を囲む外筒との複層構成とされ、一方の端部には、前記外筒が除去された前記内筒が連結用の連結筒部とされた第１筒体と、内部に第２流路を備え、端部には挿入された前記連結筒部と連結され、前記第１流路と前記第２流路を連通させる連結手段が設けられた第２筒体と、前記第２筒体と対向する前記外筒を切欠いて形成され、前記内筒に沿って移動させて前記連結手段の連結を解除させる治具が前記内筒の径方向の外側から差込まれる切欠き部と、前記外筒から前記切欠き部へ切除可能に突出され、前記治具の差し込みを妨げる制限手段と、を有することを特徴としている。
【０００６】
請求項１に記載の発明によれば、連結手段により第１筒体と第２筒体が連結され、第１流路と第２流路が連通されている。このとき、複層構成とされた第１筒体には、第２筒体と対向する外筒を切り欠いて、治具が差込まれる大きさの切欠き部が形成されている。切欠き部には、治具の差し込みを妨げる制限手段が設けられている。
請求項１に記載の構成とすることにより、次の手順で、連結された第１筒体と第２筒体を分離させることができる。即ち、先ず、第１筒体の切欠き部に設けられた制限手段を切除して、切欠き部に治具を差し込む。次に、治具を内筒に沿って軸線方向に移動させる。これにより、第２筒体の連結手段の連結が解除され、第１筒体と第２筒体を分離させることができる。
なお、第１筒体と第２筒体を分離させるためには、切欠き部に設けられた制限手段を切除する作業が必要となる。このため、制限手段が切除されている状態を第１筒体と第２筒体を分離させた痕跡とすることができる。即ち、分離させたことの確認ができる。
このとき、切除に至らなくても、制限手段が大きく変形された場合には、外筒との接合部に塑性変形の痕跡が残るので、この場合においても、第１筒体と第２筒体を分離させた痕跡とすることができる。
【０００７】
請求項２に記載の発明は、請求項１に記載の継手構造において、前記制限手段は、前記切欠き部の端面から前記第１筒体の軸線方向へ突出されていることを特徴としている。
【０００８】
請求項２に記載の発明によれば、制限手段が、外筒の切欠き部の端面から第１筒体の軸線方向に突出され、切欠き部への治具の差し込みを妨げている。このため、制限手段を切除しなければ、切欠き部に治具を差し込むことができない。この結果、制限手段が切除されている状態を第１筒体と第２筒体を分離させた痕跡とすることができる。
【０００９】
請求項３に記載の発明は、請求項１に記載の継手構造において、前記制限手段は、前記切欠き部の端面から前記第１筒体の周方向へ突出されていることを特徴としている。
【００１０】
請求項３に記載の発明によれば、制限手段が、外筒の切欠き部の端面から第１筒体の周方向に突出され、切欠き部への治具の差し込みを妨げている。このため、制限手段を切除しなければ、切欠き部に治具を差し込むことができない。この結果、制限手段が切除されている状態を第１筒体と第２筒体を分離させた痕跡とすることができる。
【００１１】
請求項４に記載の発明は、内部に第１流路が形成された内筒と、前記内筒を囲む外筒との複層構成とされ、一方の端部には、前記外筒が除去された前記内筒が連結用の連結筒部とされた第１筒体と、内部に第２流路を備え、端部には挿入された前記連結筒部と連結され、前記第１流路と前記第２流路を連通させる連結手段が設けられた第２筒体と、前記第２筒体と対向する前記外筒を前記内筒の接線に沿って両側から前記内筒の外周面に至るまで切除して形成され、前記内筒に沿って移動させて前記連結手段の連結を解除させる治具が差込まれる切欠き部と、前記外筒の前記切欠き部の端面からそれぞれ前記第１筒体の軸線方向へ切除可能に突出されて、前記治具の差し込みを妨げる制限手段と、を有することを特徴としている。
【００１２】
請求項４に記載の発明によれば、制限手段が、外筒の両側の切欠き部の端面から第１筒体の軸線方向に設けられ、切欠き部への治具の差し込みを妨げている。このため、制限手段を切除しなければ、切欠き部に治具を差し込むことができない。この結果、制限手段が切除されている状態を第１筒体と第２筒体を分離させた痕跡とすることができる。
【００１３】
請求項５に記載の発明に係るヘッダー基体は、内部に流路が形成された内筒と、前記内筒を囲む外筒との複層構成とされ、一方の端部には外部から挿入された第１連結筒部を連結する第１連結手段が設けられ、他方の端部には、前記外筒が除去された前記内筒が連結用の第２連結筒部とされ、前記内筒の周壁からは前記流路と連通する分岐流路を備えた分岐筒体が径方向に突出された筒体と、他方の端部側の前記外筒を切欠いて形成され、前記第２連結筒部が外部の第２連結手段と連結されたとき、前記内筒に沿って移動させて前記第２連結手段の連結を解除させる治具が前記内筒の径方向の外側から差し込まれる切欠き部と、前記外筒から前記切欠き部へ切除可能に突出され、前記治具の差し込みを妨げる制限手段と、を有することを特徴としている。
【００１４】
請求項５に記載の発明によれば、ヘッダー基体は、一方の端部に設けられた第１連結手段により、外部から挿入された第１連結筒部が連結され、第１連結筒部の流路とヘッダー基体の流路が連通される。また、他方の端部に形成された第２連結筒部が外部の第２連結手段と連結され、ヘッダー基体の流路と第２連結手段の流路が連通される。
このとき、筒体には、外筒が切除された切欠き部が形成され、切欠き部には、第２連結手段との連結を解除させる治具の差し込みを妨げる制限手段が設けられている。
請求項５に記載の構成とすることにより、第２連結筒部が外部の第２連結手段と連結され、ヘッダーを構成した後に、第２連結手段と第２連結筒部を分離させることができる。このとき、分離させるためには、切欠き部に設けられた制限手段を切除する作業が必要であり、制限手段が外筒から切除されている状態を、第２連結手段と第２連結筒部を分離させた痕跡とすることができる。即ち、分離させたことの確認ができる。
このとき、切除に至らなくても、制限手段を大きく変形させた場合には、制限手段と外筒との接合部に塑性変形の痕跡が残るので、この場合においても、第２連結手段と第２連結筒部を分離させた痕跡とすることができる。
【００１５】
請求項６に記載の発明は、請求項５に記載のヘッダー基体において、記制限手段は、前記切欠き部の端面から前記筒体の軸線方向へ突出されていることを特徴としている。
【００１６】
請求項６に記載の発明によれば、制限手段が、外筒の切欠き部の端面から筒体の軸線方向に突出され、切欠き部への治具の差し込みを妨げている。このため、制限手段を切除しなければ、切欠き部に治具を差し込むことができない。この結果、制限手段が切除されている状態を第２連結手段と第２連結筒部を分離させた痕跡とすることができる。
【００１７】
請求項７に記載の発明は、請求項５に記載のヘッダー基体において、前記制限手段は、前記切欠き部の端面から前記筒体の周方向へ突出されていることを特徴としている。
【００１８】
請求項７に記載の発明によれば、制限手段が、外筒の切欠き部の端面から筒体の周方向に突出され、切欠き部への治具の差し込みを妨げている。このため、制限手段を切除しなければ、切欠き部に治具を差し込むことができない。この結果、制限手段が切除されている状態を第２連結手段と第２連結筒部を分離させた痕跡とすることができる。
【００１９】
請求項８に記載の発明は、内部に流路が形成された内筒と、前記内筒を囲む外筒との複層構成とされ、一方の端部には外部から挿入された第１連結筒部を連結する第１連結手段が設けられ、他方の端部には、前記外筒が除去された前記内筒が連結用の第２連結筒部とされ、前記内筒の周壁からは前記流路と連通する分岐流路を備えた分岐筒体が径方向に突出された筒体と、他方の端部側の前記外筒を前記内筒の接線に沿って両側から前記内筒の外周面に至るまで切除して形成され、前記第２連結筒部が外部の第２連結手段と連結されたとき、前記内筒に沿って移動させて前記第２連結手段の連結を解除させる治具が差し込まれる切欠き部と、前記外筒の前記切欠き部の端面からそれぞれ前記筒体の軸線方向へ切除可能に突出され、前記治具の差し込みを妨げる制限手段と、を有することを特徴としている。
【００２０】
請求項８に記載の発明によれば、制限手段が、外筒の両側の切欠き部の端面から筒体の軸線方向に突出され、切欠き部への治具の差し込みを妨げている。このため、制限手段を切除しなければ、切欠き部に治具を差し込むことができない。この結果、制限手段が切除されている状態を第２連結手段と第２連結筒部を分離させた痕跡とすることができる。
【００２１】
請求項９に記載の発明に係るヘッダーは、内部に第１流路が形成された内筒と、前記内筒を囲む外筒との複層構成とされ、一方の端部には外部から挿入された第１連結筒部を連結する第１連結手段が設けられ、他方の端部には、前記外筒が除去された第２連結筒部とされ、前記内筒の周壁からは、前記第１流路と連通する分岐流路を備えた分岐筒体が径方向に突出された第１ヘッダー基体と、内部に第２流路が形成された内筒と、前記内筒を囲む外筒との複層構成とされ、一方の端部には前記第２連結筒部と連結された第２連結手段が設けられ、他方の端部には外筒が除去された第３連結筒部が形成され、前記内筒の周壁には前記第２流路と連通する分岐流路を備えた分岐筒体が径方向に突出された第２ヘッダー基体と、前記第１ヘッダー基体の前記外筒を切欠いて形成され、前記内筒に沿って移動させて前記第２連結手段の連結を解除させる治具が前記内筒の径方向の外側から差し込まれる切欠き部と、前記外筒から前記切欠き部へ切除可能に突出され、前記治具の差し込みを妨げる制限手段と、を有することを特徴としている。
【００２２】
請求項９に記載の発明によれば、第２連結手段により第１ヘッダー基体と第２ヘッダー基体が連結され、第１流路と第２流路が連通されている。このとき、複層構成とされた第１ヘッダー基体には、外筒を除去して形成された治具が差込まれる切欠き部が形成され、切欠き部には、治具の差し込みを妨げる制限手段が設けられている。
請求項９に記載の構成とすることにより、次の手順で、連結された第１ヘッダー基体と第２ヘッダー基体を分離させることができる。即ち、先ず、第１ヘッダー基体の切欠き部に設けられた制限手段を切除して、切欠き部に治具を差し込む。次に、治具を第１ヘッダー基体の内筒に沿って軸線方向に移動させる。これにより、第２ヘッダー基体の連結手段の連結が解除され、第１ヘッダー基体と第２ヘッダー基体を分離させることができる。
なお、第１ヘッダー基体と第２ヘッダー基体を分離させるためには、切欠き部に設けられた制限手段を切除する作業が必要である。これにより、制限手段が切除されている状態を、第１ヘッダー基体と第２ヘッダー基体を分離させた痕跡とすることができる。即ち、分離させたことこの確認ができる。
このとき、切除に至らなくても、制限手段を大きく変形させた場合には、制限手段と被覆部材との接合部に塑性変形の痕跡が残るので、この場合においても、第１ヘッダー基体と第２ヘッダー基体を分離させた痕跡とすることができる。
【００２３】
請求項１０に記載の発明は、請求項９に記載のヘッダーにおいて、前記制限手段は、前記切欠き部の端面から前記第１ヘッダー基体の軸線方向へ突出されていることを特徴としている。
【００２４】
請求項１０に記載の発明によれば、制限手段が、外筒の切欠き部の端面から筒体の軸線方向に突出され、切欠き部への治具の差し込みを妨げている。このため、制限手段を切除しなければ、切欠き部に治具を差し込むことができない。この結果、制限手段が切除されている状態を第１ヘッダー基体と第２ヘッダー基体を分離させた痕跡とすることができる。
【００２５】
請求項１１に記載の発明は、請求項９に記載のヘッダーにおいて、前記制限手段は、前記切欠き部の端面から前記第１ヘッダー基体の周方向へ突出されていることを特徴としている。
【００２６】
請求項１１に記載の発明によれば、制限手段が、外筒の切欠き部の端面から筒体の周方向に設けられ、切欠き部への治具の差し込みを妨げている。このため、制限手段を切除しなければ、切欠き部に治具を差し込むことができない。この結果、制限手段が切除されている状態を第１ヘッダー基体と第２ヘッダー基体を分離させた痕跡とすることができる。
【００２７】
請求項１２に記載の発明は、内部に第１流路が形成された内筒と、前記内筒を囲む外筒との複層構成とされ、一方の端部には外部から挿入された第１連結筒部を連結する第１連結手段が設けられ、他方の端部には、前記外筒が除去された第２連結筒部とされ、前記内筒の周壁からは、前記第１流路と連通する分岐流路を備えた分岐筒体が径方向に突出された第１ヘッダー基体と、内部に第２流路が形成された内筒と、前記内筒を囲む外筒との複層構成とされ、一方の端部には前記第２連結筒部と連結された第２連結手段が設けられ、他方の端部には外筒が除去された第３連結筒部が形成され、前記内筒の周壁には前記第２流路と連通する分岐流路を備えた分岐筒体が径方向に突出された第２ヘッダー基体と、前記第１ヘッダー基体の前記外筒を前記内筒の接線に沿って両側から前記内筒の外周面に至るまで切除して形成され、前記内筒に沿って移動させて前記第２連結手段の連結を解除させる治具が差し込まれる切欠き部と、前記外筒の前記切欠き部の端面からそれぞれ前記第１ヘッダー基体の軸線方向へ切除可能に突出され、前記治具の差し込みを妨げる制限手段と、を有することを特徴としている。
【００２８】
請求項１２に記載の発明によれば、制限手段が、外筒の両側の切欠き部の端面から筒体の軸線方向に突出され、切欠き部への治具の差し込みを妨げている。このため、制限手段を切除しなければ、切欠き部に治具を差し込むことができない。この結果、制限手段が切除されている状態を第１ヘッダー基体と第２ヘッダー基体を分離させた痕跡とすることができる。
【発明の効果】
【００２９】
本発明は、上記構成としてあるのでヘッダーを構成するヘッダー基体を取り外した場合に、後で、取り外したことを確認できる継手構造、ヘッダー基体及びヘッダーを提供することができる。
【図面の簡単な説明】
【００３０】
【図１】本発明の第１の実施の形態に係る継手構造の基本構成を示す断面図である。
【図２】本発明の第１の実施の形態に係る切欠き部の構成を示す外観斜視図である。
【図３】本発明の第１の実施の形態に係る継手構造の解除手順を示す外観斜視図である。
【図４】本発明の第１の実施の形態に係る継手構造の解除手順を示す断面図である。
【図５】本発明の第２の実施の形態に係る切欠き部の構成を示す外観斜視図である。
【図６】本発明の第３の実施の形態に係る切欠き部の構成を示す断面図である。
【図７】本発明の第３の実施の形態に係る継手構造の解除手順を示す外観斜視図である。
【図８】本発明の第４の実施の形態に係る継手構造の基本構成を示す断面図である。
【図９】本発明の第５の実施の形態に係るヘッダー基体の基本構成を示す部分断面図である。
【図１０】本発明の第６の実施の形態に係るヘッダーの構成を示す外観斜視図である。
【図１１】本発明の第６の実施の形態に係るヘッダーの接続手順を示す部分断面図である。
【発明を実施するための形態】
【００３１】
（第１の実施の形態）
図１に示すように、本発明の第１の実施の形態に係る継手構造１０は、第１パイプ８０と第２パイプ８２を有し、第１パイプ８０と第２パイプ８２がワンタッチ継手２２で連結されている。
第１パイプ８０は、内部に第１流路１６が形成された内筒１８と、内筒１８を囲む外筒４６の二重管構造（複層構成）とされている。ここに、内筒１８は、耐熱性を有する樹脂材料や金属材料で成型され、外筒４６は樹脂材料で形成されている。一方、外筒４６は、内筒１８の補強用、保護用、保温用、及び美観向上用等のいずれか１つ以上の役割を有している。
【００３２】
第１パイプ８０の端部には筒部２０が形成されている。筒部２０は、ワンタッチ継手２２に挿入される部分であり、第１パイプ８０の先端部から長さＬ１の範囲内に設けられている。筒部２０の範囲内は、外筒４６が除去されている。
第２パイプ８２は、内部に第２流路１７が形成され、端部には、内筒１８の筒部２０が挿入される径に内径を拡径された拡径部８４が形成されている。この、拡径部８４を利用して、挿入された筒部２０を連結するワンタッチ継手２２が構成されている。
【００３３】
ワンタッチ継手２２は、拡径部８４の内周面に配置された保持筒体２８を有している。保持筒体２８は、樹脂で円筒状に形成され、矢印Ｄ１の方向へ挿入された筒部２０の外周面を囲んでいる。保持筒体２８の円筒部には、図示しないスリットが軸線３２の方向へ複数設けられている。スリットは、保持筒体２８の一方の端部２８Ｅから、円筒部の中央部を超える位置まで切り欠かれている。これにより、保持筒体２８を径方向へ拡径することができる。また、保持筒体２８の円筒部分には、爪部２９がリング状に設けられている。
【００３４】
爪部２９は、保持筒体２８の円筒部分に周方向に埋め込まれ、スリット部で分割されている。これにより、爪部２９を、保持筒体２８の拡径と連動して拡径させることができる。
爪部２９は、矢印Ｄ１方向へ向けて径が縮小する方向に傾斜させて配置され、爪部２９の先端は、保持筒体２８の内周面から突出されている。これにより、爪部２９は、筒部２０が矢印Ｄ１方向に挿入されるのを許容し、挿入された筒部２０の外周面を囲んで保持する。また、筒部２０が抜け出す方向（矢印Ｄ２方向）へ移動するのを防止する。これにより、第１パイプ８０と第２パイプ８２の連結状態が維持される。
【００３５】
保持筒体２８と拡大部８４の間には、開放筒部３０が配置されている。開放筒部３０は、円筒状に形成され、円筒部で保持筒体２８の外周面を囲んでいる。開放筒部３０の矢印Ｄ２側の端部には、折り返し部３０Ｓが形成され、折り返し部３０Ｓが拡大部８４の先端部８４Ｓと当接されている。これにより、開放筒部３０の矢印Ｄ１方向への移動が規制されている。開放筒部３０の矢印Ｄ１側の端部３０Ｅには、矢印Ｄ１方向へ拡径する傾きの傾斜部３１が設けられている。傾斜部３１の軸線３２方向の長さはＬ２とされている。
【００３６】
傾斜部３１の先端は、保持筒体２８の矢印Ｄ１方向の端部２８Ｅと接しており、保持筒体２８が矢印Ｄ１方向に距離Ｌ２だけ移動されたとき、保持筒体２８の端部２８Ｅが傾斜部３１に乗り上げて拡径される。このとき、保持筒体２８の筒部２８Ｅ側にはスリットが設けられているため、円筒部及び爪部２９が容易に拡径される。この結果、対向する爪部２９間の距離が広げられ、筒部２０の保持が解除され、第１パイプ８０と第２パイプ８２の分離が可能となる。
【００３７】
また、拡大部８４の外周面と先端部８４Ｓはキャップ３４で囲まれている。キャップ３４は、樹脂製（例えばポリアセタール樹脂やガラス繊維強化ナイロン等）とされ、周方向に回転可能に拡大部８４の外周面に嵌め込まれている。このため、保持筒体２８、開放筒部３０、及び挿入された筒部２０の、それぞれの少なくとも一部がキャップ３４で囲まれ、保持筒体２８及び開放筒部３０の径方向の移動、及び軸線３２方向の移動が規制されている。なお、キャップ３４の取付けは、拡大部８４に設けられたオネジとキャップ３４に設けられたメネジを螺合させるネジ止め方式であってもよい。
【００３８】
なお、保持筒体２８の矢印Ｄ２方向の端部２８Ｓは、筒部２０の外周面に沿って延出され、筒部２０とキャップ３４の隙間に入り込んでいる。延出された保持筒体２８の先端２８Ｓは、キャップ３４の先端３４Ｓとほぼ同一面とされている。
また、開放筒部３０の矢印Ｄ１方向には、第２パイプ８２の先端の拡径部８４と筒部２０との間からの水漏れを防止するＯ−リング５２が嵌め込まれている。
【００３９】
次に切欠き部について説明する。
図２の継手構造の外観斜視図に示すように、第１パイプ８０の外筒４６の端部には、切欠き部３６が形成されている。ここに、図２（ｂ）は、図２（ａ）に示す矢印Ｒ方向から見た図である。
ここに、切欠き部３６は、外筒４６のワンタッチ継手２２側の端部を切欠いて形成されている。切欠き部３６は、筒部２０を連結する爪部２９の連結を解除させる治具を差し込むのに必要な大きさとされている。治具については後述する。また、切欠き部３６は、周方向に切り欠かれた周方向端面５４と、軸線３２の方向に切り欠かれた軸線方向端面５６を有し、切欠き部３６の内部には、内筒１８が露出されている。
【００４０】
切欠き部３６の周方向端面５４のほぼ中央部から、軸線３２と平行な方向へリブ３８が突出されている。リブ３８は板状とされ、切欠き部３６の軸線３２方向の長さとほぼ同じ長さで形成されている。リブ３８の周方向端面５４との接合部３８Ａは容易に切り取れるよう、板厚が一部薄くされている。
【００４１】
本実施の形態の構成とすることにより、ワンタッチ継手２２で連結された第１パイプ８０と第２パイプ８２を、次の手順で分離させることができる。
図３、４の分離手順に示すように、第１パイプ８０と第２パイプ８２を分離させるには、専用の治具４０を用いて行う。
【００４２】
先ず、治具４０について説明する。治具４０は、筒部２０のほぼ半周（曲面に沿った長さＳ１）に渡り外周面を覆う曲面を備えた湾曲部４２を有している。湾曲部４２の軸線３２方向の長さはＨ１とされている。また、治具４０は、湾曲部４２の端部から径方向へ折り曲げられた鍔部４４を有している。鍔部４４は、湾曲部４２を挿入するときの摘み部とされる。
【００４３】
切欠き部３６は、治具４０の湾曲部４２の周方向の長さＳ１より大きい、周方向の長さＳ２、及び湾曲部４２の軸線３２方向の長さＨ１より大きい長さＨ２で、外筒４６の筒部２０側端部を切除して形成されている。これにより、治具４０の湾曲部４２を切欠き部３６に差し込んで、切欠き部３６の表面に湾曲部４２を当接させることができる。
また、切欠き部３６にはリブ３８が突出されている。リブ３８は、周方向端面５４のほぼ中央部から突出されている。このため、リブ３８の側面から切欠き部３６の軸線方向端面５６までの距離は、湾曲部４２の周方向の幅Ｓ１より小さくされている。この結果、リブ３８の隙間に、治具４０の湾曲部４２を差し込むことはできない。
【００４４】
このため、分離手順は、先ず、切欠き部３６に設けられたリブ３８を切除して、切欠き部３６に治具４０を差し込む（図３（ａ）、図４（ａ）（ｂ）参照）。ここに、リブ３８の切除は、リブ３８の外筒４６との接合部３８Ａが細くされているため、接合部３８Ａの位置で容易に切除することができる。
【００４５】
次に、治具４０を筒部２０に沿って軸線方向に移動させる。即ち、湾曲部４２を、キャップ３４と筒部２０の間に挿入し、内筒１８の表面に沿って、保持筒体２８の先端２８Ｓを矢印Ｄ１の方向へ押し込む（図３（ｂ）、図４（ｃ）参照）。これにより、保持筒体２８を矢印Ｄ１の方向へ移動させることができる。保持筒体２８を移動させることにより、上述したように、保持筒体２８の端部２８Ｅが開放筒部３０の傾斜部３１に乗り上げ、保持筒体２８の端部２８Ｅ及び爪部２９が拡径され、爪部２９の保持が解除される。
これにより、第２パイプ８２の連結手段に設けられた保持部２８の保持が解除され、第１パイプ８０と第２パイプ８２を分離することができる。
【００４６】
以上説明したように、本実施の形態によれば、連結された第１パイプ８０と第２パイプ８２を、例えば現場で取り外し、再度組立てることができる。このとき、取り外しには、切欠き部３６に設けられたリブ３８の切除が必要であり、リブ３８が切除されている場合には、第１パイプ８０と第２パイプ８２を分離させた痕跡とすることができる。
また、リブ３８が切除されていなくても、リブ３８を大きく変形させた場合には、外筒４６との接合部に塑性変形の痕跡が残るので、この場合においても、第１パイプ８０と第２パイプ８２を分離させた痕跡とすることができる。
【００４７】
なお、第１パイプ８０は、内筒１８と外筒４６の二重管構造の場合について説明した。しかし、これに限定されることはなく、内筒１８と外筒４６の間に中間筒を備えた三重管以上の構造であっても良い。更に、内筒１８と外筒４６を一体成型した単管構成であっても良い。これにより、二重管構造の場合と同様の効果を得ることができる。
【００４８】
（第２の実施の形態）
図５に示すように、第２の実施の形態に係る継手構造６０は、第１パイプ８０と第２パイプ８２を有し、第１パイプ８０と第２パイプ８２がワンタッチ継手２２で連結されている。第１パイプ８０には、第１の実施の形態で説明した切欠き部３６と同じ位置に、ほぼ同じ寸法の切欠き部３７が設けられている。切欠き部３７の一方の軸線方向端面５７からは、他方の軸線方向端面５７へ向けて（周方向へ向けて）、リブ６２が突出されている。
【００４９】
リブ６２は平板状とされ、外筒４６と同じ径方向の高さ寸法で内筒１８の外周面を覆っている。リブ６２は、軸線方向端面５６との接合部６２Ａにおいて板厚が薄くされ、容易に切除可能とされている。また、リブ６２は、軸線方向端面５６の中央部付近に設けられ、リブ６２と切欠き部３６の隙間部は、第１の実施の形態で説明した、治具４０の軸線方向の長さＨ１より小さくされ、治具４０の湾曲部４２を差し込むことはできない。
なお、リブ６２の片方の端部は、他方の軸線方向端面５７まで到達させずに、途中までの長さであってもよい。
【００５０】
このような構成とすることにより、切欠き部３７へ、第１の実施の形態で説明した治具４０の湾曲部４２を差し込むには、切欠き部３７からリブ６２を切除する必要がある。この結果、リブ６２が切除されている場合には、第１パイプ８０分離させた痕跡とすることができる。
他の構成は、第１の実施の形態と同一であり説明は省略する。
【００５１】
（第３の実施の形態）
図６、７に示すように、第３の実施の形態に係る継手構造７０は、第１パイプ８０と第２パイプ８２を有し、第１パイプ８０と第２パイプ８２がワンタッチ継手２２で連結されている。第１パイプには切欠き部７２が設けられている。ここに、図６（ａ）は切欠き部の断面図であり、図６（ｂ）は治具の平面図である。また、図７（ａ）は切欠き部の斜視図であり、図７（ｂ）は治具の斜視図であり、図７（ｃ）は治具を切欠き部に挿入した状態の図である。
【００５２】
切欠き部７２は、内筒１８の接線５８に沿って、第１パイプ８０の外筒４６を、両側から内筒１８の外周面に至るまで切除して形成されている。これにより、内筒１８を挟んで対向する２箇所に切欠き部７２が形成される。切欠き部７２は、後述するＵ字状の治具７６の湾曲部７７の軸線方向の長さＨ３を超える寸法Ｈ４で、外筒４６の筒部側端部が切除されている。
２つのリブ７４は、欠き部７２の外筒４６の端面から、それぞれ軸線３２方向へ突出されている。
【００５３】
ここに、治具７６は、筒部２０の外周面に沿う曲面を備えた２つの湾曲部７７を有し、湾曲部７７には、湾曲部７７の端部から径方向へ折り曲げられた鍔部７８が設けられている。鍔部７８の端部は切欠き部７２に沿って延伸され、平面視がＵ字状に一体化されている。
治具７６を、リブ７４が切除された切欠き部７２に差し込んで、湾曲部７７を、第１の実施の形態で説明したキャップ３４と、内筒１８の間に挿入して、保持筒体２８を押し下げる。これにより、第１パイプ８０と第２パイプ８２を分離させることができる。
【００５４】
このような構成とすることにより、治具７６を切欠き部７２に差し込むには、リブ７４を取り除く必要があり、リブ７４が切除されている場合には、第１パイプと第２パイプを分離させた痕跡とすることができる。
他の構成は、第１の実施の形態と同一であり説明は省略する。
【００５５】
（第４の実施の形態）
図８に示すように、第４の実施の形態に係る継手構造９０は、第１パイプ８０と第３パイプ９２を有し、第１パイプ８０と第３パイプ９２がワンタッチ継手２３で連結されている。第１パイプ８０は、第１の実施の形態で既に説明してあり説明は省略する。
【００５６】
ここに、第３パイプ９２は、内部に第３流路９４を有し、先端にはワンタッチ継手２３が設けられている。第３パイプ９２の先端には、管径が細くされた縮径部８５が設けられ、縮径部８５を利用してワンタッチ継手２３が構成されている。
縮径部８５の外側には、第１の実施の形態で説明した第１パイプ８０の筒部２０が挿入されている。縮径部８５と筒部２０の間には、Ｏ-リング５２が設けられ、水漏れを防止している。これにより、第１の実施の形態で説明した第１パイプ８０の第１流路１６と、第３流路９４が連通されている。
【００５７】
ワンタッチ継手２３は、第１の実施の形態で説明したワンタッチ継手２２の保持筒体２８を分割し、円環状の保持リング６４と開放リング６６の２部品とした構成である。ここに、保持リング６４は、断面がくの字状に折り曲げられた形状とされ、内周面側が矢印Ｄ１の方向に傾斜している。また、保持リング６４の先端は、筒部２０の外周面と当接されている。これにより、保持リング６４の先端で筒部２０が保持され、筒部２０の抜け出しが防止される。
【００５８】
開放リング６６は円筒状に形成され、保持リング６４の挿入口側（矢印Ｄ２の方向）の側面に設けられている。開放リング６６の保持リング６４側の端部は、開放リング６６の傾斜面と接する傾斜部を有している。保持リング６４の矢印Ｄ１側には、筒部２０と縮径部８５を囲む透明カバー６８が設けられている。このとき、透明カバー６８の先端の傾斜部と保持リング６４の傾斜部が当接している。
また、透明カバー６８、保持リング６４、及び開放リング６６の外周を囲んでキャップ３５が設けられている。これにより、透明カバー６８、保持リング６４、及び開放リング６６の径方向の移動が制限される。
【００５９】
このような構成とすることにより、開放リング６６の先端６６Ｓを、治具で矢印Ｄ１の方向に移動させることで、保持リング６４を、透明カバー６８の先端の傾斜部に沿わせて移動させることができる。これにより、保持リング６４が拡径される。この結果、保持リング６４の筒部２０の保持が開放され、筒部２０の取り外しが可能となる。
他の構成は、基本的に第１の実施の形態と同一であり説明は省略する。
【００６０】
（第５の実施の形態）
図９に示すように、第５の実施の形態に係るヘッダー基体１１は、第１の実施の形態で説明した第１パイプ８０を有している。即ち、第１パイプ８０は、内部に流路１６が形成された内筒１８と、内筒１８を囲む外筒４６の二重筒構成とされている。また、第１パイプ８０の一方の端部には、外筒４６が幅Ｌ１で除去された連結用の筒部２０が形成されている。
第１パイプ８０の他方の端部には、外部から挿入された図示しない筒部と連結されるワンタッチ継手２２ａが設けられている。ワンタッチ継手２２ａは、第１の実施の形態で説明したワンタッチ継手２２と同じ構成であり、説明は省略する。
【００６１】
第１パイプ８０の内筒１８の周壁には、第１流路１６と連通する分岐流路２５を備えた分岐管２４が径方向に突出されている。分岐管２４の先端には、分岐管２４と図示しないパイプを連結するワンタッチ継手２６が設けられている。
【００６２】
以上説明したヘッダー基体の構成とすることにより、ヘッダー基体１１の筒部２０を、図示しない分岐流路を備えた他のヘッダー基体のワンタッチ継手と連結させることで、複数の分岐流路を備えたヘッダーを提供することができる。
また。ヘッダー基体１１のワンタッチ継手２２ａに、図示しない他のヘッダー基体の筒部を連結することで、複数の分岐流路を備えたヘッダーを提供することができる。
【００６３】
なお、ヘッダー基体１１の切欠き部及びリブは、第１の実施の形態に示す切欠き部３６及びリブ３８を前提で説明した。しかし、これに限定されることはなく、第２の実施の形態で説明した切欠き部３７及びリブ６２でもよく、第３の実施の形態で説明した切欠き部７２及びリブ７２でもよい。また、連結手段として第１の実施の形態に示すワンタッチ継手２２を前提で説明したが、これに限定されることはなく、第４の実施の形態で説明したワンタッチ継手２３でもよい。
【００６４】
（第６の実施の形態）
図１０に示すように、本発明の第６の実施の形態に係るヘッダー１２は、第１ヘッダー基体１３と第２ヘッダー基体１４を有し、第１ヘッダー基体１３と第２ヘッダー基体１４が、ワンタッチ継手２２ｂで連結されている。ここに、第１ヘッダー基体１３と第２ヘッダー基体１４は、いずれも、第５の実施の形態で説明したヘッダー基体１１と同じ構成である。説明の便宜上、第１ヘッダー基体１３には添え字ａを、第２ヘッダー基体１４には添え字ｂを付して説明する。
【００６５】
即ち、図１１に示すように、第１ヘッダー基体１３の筒部２０ａを、第２ヘッダー基体１３のワンタッチ継手２２ｂに挿入して、第１ヘッダー基体１３と第２ヘッダー基体１４が連結されている。なお、各構成要素は、第５の実施の形態で説明済みであり、詳細な説明は省略する。
【００６６】
第１ヘッダー基体１３のワンタッチ継手２２ａには、図示しない熱源機等と接続されたパイプ５０が挿入され固定されている。これにより、ヘッダー１２とパイプ５０を連通でき、水又は湯を矢印Ｗ１又は矢印Ｗ２の方向へ流すことができる。
なお、ワンタッチ継手２２ａには、図示しない他のヘッダー基体や曲がり部が形成されたエルボ基体の筒部を連結してもよい。これにより、ヘッダーの分岐流路の数を増やすことができる。
【００６７】
また、第２ヘッダー基体１４の筒部２０ｂが他のヘッダー基体や曲がり部が形成されたエルボ基体のワンタッチ継手２２ｃに挿入されている。これにより、ヘッダーの分岐流路の数を増やすことができる。
なお、筒部２０ｂは、熱源機等と接続された図示しないパイプのワンタッチ継手に挿入されてもよい。これにより、図示しない熱源機等と接続することができる。
【００６８】
以上説明したヘッダー構成とすることにより、第１ヘッダー基体１３の切欠き部３６ａのリブ３８ａを切除して、第１の実施の形態で説明した治具４０を差し込むことができる。これにより、第２ヘッダー基体１４との接合を解除させることができる。このとき、取り外しには、切欠き部３６ａに設けられたリブ３８ａの切除が必要であり、リブ３８ａが切除されている場合には、第１ヘッダー基体１３と第２ヘッダー基体１４を、分離させた痕跡とすることができる。
【００６９】
なお、リブ３８ａが切除されていなくても、リブ３８ａを大きく変形させた場合には、外筒４６ａとの接合部に塑性変形の痕跡が残るので、この場合においても、第１ヘッダー基体１３と第２ヘッダー基体１４を、分離させた痕跡とすることができる。
【００７０】
なお、第１ヘッダー基体１３と第２ヘッダー基体１４の切欠き部及びリブは、第１の実施の形態に示す切欠き部３６及びリブ３８を前提で説明した。しかし、これに限定されることはなく、第２の実施の形態で説明した切欠き部３７及びリブ６２でもよく、第３の実施の形態で説明した切欠き部７２及びリブ７４でもよい。また、連結手段として第１の実施の形態に示すワンタッチ継手２２を前提で説明したが、これに限定されることはなく、第４の実施の形態で説明したワンタッチ継手２３でもよい。更に、治具の差込によって接続を解除できる継手であれば、どのような継手であってもよい。
【符号の説明】
【００７１】
１０  継手構造
１１  ヘッダー基体
１２  ヘッダー
１３  第１ヘッダー基体
１４  第２ヘッダー基体
１６  流路（第１流路）
１７  流路（第２流路）
１８  内筒
２０  筒部（連結筒部）
２２  ワンタッチ継手（連結手段）
２４  分岐管
３６  切欠き部
３７  切欠き部
３８  リブ（制限手段）
４０  治具
４６  外筒
８０  第１パイプ（第１筒体）
８２  第２パイプ（第２筒体）
【図１】
0005805981.tif 000002
【図２】
0005805981.tif 000003
【図３】
0005805981.tif 000004
【図４】
0005805981.tif 000005
【図５】
0005805981.tif 000006
【図６】
0005805981.tif 000007
【図７】
0005805981.tif 000008
【図８】
0005805981.tif 000009
【図９】
0005805981.tif 000010
【図１０】
0005805981.tif 000011
【図１１】
0005805981.tif 000012